(57)【要約】【課題】グローブと取付面との間の空間への虫類の進入を阻止することができる機能をもった照明器具用グローブを提供する。【解決手段】照明器具１は、照明器具本体２、ランプ３およびグローブ４を備え、グローブ４は、グローブ本体６と部材５から構成されている。部材５は、グローブ本体６の外周に嵌合しまたは固定されている。グローブ４を照明器具本体２に取り付けると、部材５の上端部が取付面７に接触し、取付面７とグローブ４上部との間の空間８を照明器具１の周囲の空間から遮蔽する。好ましくは、部材５は、グローブ本体６に対して、取付面に交わる方向に移動可能に支持される。【選択図】図２
2010182565.tif 000002
【特許請求の範囲】
【請求項１】
照明器具本体を取り付ける取付面とグローブとの間に空間を形成する状態で、前記取付面に取り付けられる照明器具に用いられるグローブであって、
該グローブの外周に、前記空間を前記照明器具の周囲の空間から遮蔽する部材を備えることを特徴とする照明器具用グローブ。
【請求項２】
前記部材は、前記グローブを前記照明器具本体に取り付けた状態で、前記グローブに対して、前記取付面に交わる方向に移動可能に支持されることを特徴とする請求項１に記載の照明器具用グローブ。
【請求項３】
前記部材は、前記グローブの本体とねじ込み式によって嵌合することを特徴とする請求項１または２に記載の照明器具用グローブ。
【請求項４】
前記グローブは天井直付け型の照明器具本体に取り付けられることを特徴とする請求項１ないし３のいずれか１項に記載の照明器具用グローブ。
【請求項５】
照明器具本体を取り付ける取付面とグローブとの間に空間を形成する状態で、前記取付面に取り付けられる照明器具に用いられるグローブの外周に係合し、前記空間を前記照明器具の周囲の空間から遮蔽することを特徴とする照明器具用部材。
【請求項６】
照明器具本体を取り付ける取付面とその照明器具を構成するグローブとの間に空間を形成する状態で、前記取付面に固定される照明器具本体と、
前記空間を前記照明器具の周囲の空間から遮蔽する部材をその外周に備える照明器具用グローブと、
を備えることを特徴とする照明器具。
【請求項７】
前記部材は、前記グローブを前記照明器具本体に取り付けた状態で、前記グローブに対して、前記取付面に交わる方向に移動可能に支持されることを特徴とする請求項６に記載の照明器具。
【請求項８】
前記部材は、前記グローブの本体とねじ込み式によって嵌合することを特徴とする請求項６または７に記載の照明器具。
【請求項９】
前記照明器具は天井面に取り付けられることを特徴とする請求項６ないし８のいずれか１項に記載の照明器具。
【発明の詳細な説明】
【技術分野】
【０００１】
本発明は、照明器具用グローブ、照明器具用部材および照明器具に関する。
【背景技術】
【０００２】
天井面または壁面などの取付面に固定される照明器具は、ランプ、照明器具本体およびグローブ（透光カバー）から構成されている。照明器具本体にはランプと電気的に接続してこれを点灯する回路が備えられている。また、照明器具本体は取付部などの機構を有する。これによって照明器具本体は取付面に固定される。また、グローブは照明器具本体に取り付けられる。
【０００３】
照明器具には、ランプの光や熱に誘われて蛾や蚊、はえなどの虫類が集まりやすい。その結果、グローブ内部に虫類が進入したり、照明器具周辺に虫類の死骸が付着したりする。そこで、照明器具における防虫構造が提案されている。
【０００４】
例えば、特許文献１の技術では、透光カバーの外表面に、虫忌避効果のある、ビレスロイド系化合物からなる生物除去剤を付加する。
【０００５】
また、グローブ内部に虫が進入するのを防ぐ技術としては、次のようなものがある。特許文献２は、透光カバーと器具本体の嵌合部に水平毛様部を有する柔軟体を設けることによって前記嵌合部の隙間を埋める技術が記載されている。特許文献３では、弾性変形可能な侵入阻止部材をカバーとシャーシ本体との嵌合部に設けることによって前記嵌合部の隙間を埋める技術が記載されている。
【０００６】
照明器具本体と取付面との間に防虫構造を設ける技術としては、特許文献４および特許文献５がある。特許文献４には、装飾トリムと一体化させた防虫用遮断部が、シャーシの上面部と天井面との隙間を外部から遮断する技術について記載されている。特許文献５には、電源接続用孔からシャーシに虫が進入するのを防ぐために設ける、防虫カバーに関する技術が記載されている。
【先行技術文献】
【特許文献】
【０００７】
【特許文献１】特開２００１−２０２８１０
【特許文献２】特開２００６−０２４５３８
【特許文献３】特開２００７−１０９４３６
【特許文献４】特開平０６−３０９９１３
【特許文献５】特開平０９−１４７６２０
【発明の概要】
【発明が解決しようとする課題】
【０００８】
特許文献１ではグローブの外表面に虫忌避剤を付加し、防虫を図っている。しかし、虫忌避剤の持続性に問題があり、結局は物理的に虫類が進入できないようにする方が効果的であると考えられる。
【０００９】
特許文献２および３の技術は照明器具とグローブとの嵌合部からグローブ内部に虫類が進入するのを防止する技術である。しかし、この技術では照明器具本体と取付面との間の空間や、グローブと取付面との間の空間への虫類の進入は防ぐことができず、これらの死骸が照明器具本体周辺およびグローブの鍔部などに付着する。
【００１０】
特許文献４および５では照明器具本体と天井面との隙間を外部から遮断し、電気接続用孔からの虫類の進入の防止を図っている。また、その他の関連する技術の照明器具にもいずれもこのような防虫カバーなどの措置がとられているものが多い。しかし、この技術では照明器具本体と取付面との間の空間への虫類の進入は防ぐことができるが、グローブと取付面との間の空間へのこれらの進入は防ぐことができない。そのためこれらの死骸がグローブの鍔部などに付着する。
【００１１】
本発明は、上記事情に鑑みてなされたものであり、グローブ内部および照明器具本体と取付面との間の空間のみならず、グローブと取付面との間の空間への虫類の進入をも阻止することができる機能を持った照明器具用グローブを提供することを目的とする。
【課題を解決するための手段】
【００１２】
本発明の第１の観点に係る照明器具用グローブは、
照明器具本体を取り付ける取付面とグローブとの間に空間を形成する状態で、前記取付面に取り付けられる照明器具に用いられるグローブであって、
該グローブの外周に、前記空間を前記照明器具の周囲の空間から遮蔽する部材
を備えることを特徴とする。
【００１３】
本発明の第２の観点に係る照明器具用部材は、
照明器具本体を取り付ける取付面とグローブとの間に空間を形成する状態で、前記取付面に取り付けられる照明器具に用いられるグローブの外周に係合し、前記空間を前記照明器具の周囲の空間から遮蔽することを特徴とする。
【００１４】
本発明の第３の観点に係る照明器具は、
照明器具本体を取り付ける取付面とグローブとの間に空間を形成する状態で、前記取付面に固定される照明器具本体と、
前記空間を前記照明器具の周囲の空間から遮蔽する部材をその外周に備える照明器具用グローブと、
を備えることを特徴とする。
【発明の効果】
【００１５】
本発明の照明器具用グローブ、照明器具用部材および照明器具によれば、取付面とグローブの間の空間を閉空間にするため、該空間への虫類の進入およびグローブの鍔部へのそれらの死骸の付着を防ぐことができる。
【図面の簡単な説明】
【００１６】
【図１】本発明の実施の形態１に係る照明器具の構成例を示す分解断面図である。
【図２】図１の照明器具のグローブを取り付けた後の状態を示す断面図である。
【図３】本発明の実施の形態２に係る照明器具の構成例を示す断面図である。
【図４】図３の照明器具の部材がグローブ本体の上方に位置している状態を示す断面図である。
【図５】本発明の実施の形態２の変形例に係る照明器具の構成例を示す断面図である。
【図６】図５の照明器具の部材がグローブ本体に対して上方に位置している状態を示す断面図である。
【図７】本発明の実施の形態３に係る照明器具の構成例を示す断面図である。
【図８】図７の照明器具の部材がグローブ本体に対して上方に位置している状態を示す断面図である。
【発明を実施するための形態】
【００１７】
以下、この発明の実施の形態について図面を参照しながら詳細に説明する。なお、図中同一または相当部分には同一符号を付す。
【００１８】
（実施の形態１）
図１は、本発明の実施の形態１に係る照明器具１の構成例を示す分解断面図である。図１は、グローブを取り付ける前の状態を示す。照明器具１は、照明器具本体２、ランプ３およびグローブ４によって構成されている。照明器具本体２は、図示しない点灯回路やコネクタなどを備え、それらを収容する筐体によって構成されている。また、照明器具本体２は、取付面７である天井面に直に固定されている。ランプ３は蛍光灯、白熱灯などであり、グローブ４を通して光を照射する。図１では、ランプ３の形状が直管の場合を示している。ランプ３は、円管、球管、Ｕ字管または連結管などその他の形状でもよい。
【００１９】
グローブ４は、グローブ本体６と部材５から構成されており、照明器具本体２に取り付けられる。グローブ本体６は、光を透過する材質、例えばアクリルなどで形成されている。部材５はグローブ本体６と同様の材質などから形成される。
【００２０】
グローブ本体６の形状は、円形、正方形、長方形、多角形、楕円形、その他いずれの形状であっても適用できる。また、部材５の形状は、そのグローブ本体６の形状に対応する筒状の形状である。部材５の内周は、グローブ本体６の最大外周上に嵌合することができる形となっている。
【００２１】
部材５は、グローブ本体６の外周に嵌合して支持される。または、グローブ本体６に固定されるか、もしくはグローブ本体６と一体に形成されることもある。図１には詳細に示していないが、グローブ本体６と部材５の嵌合・固定などの方法は、例えばグローブ本体６および部材５の材質をアクリルなどの弾力性のあるものとし、グローブ本体６の外周および部材５の内周に等間隔に相互に嵌合する凹凸部を数カ所、例えば３カ所を設けることで嵌合させる方法がある。また、グローブ本体６に部材５をネジなどで機械的に固定する方法もある。その他、部材５がグローブ本体６の特定の位置に係止できる手段であればよい。なお、部材５のグローブ本体６との嵌合・固定部分から部材５の上端までの長さは、グローブ４が照明器具本体２に取り付けられた際の、グローブ本体６の部材５との嵌合・固定部分から取付面７までの長さと同じになるよう形成されている。そのため、グローブ４を照明器具本体２に取り付けた場合、部材５の上端が丁度取付面７に接触する。
【００２２】
図２は、グローブ４を照明器具本体２に取り付けた状態を示す。部材５の上端部が取付面７に接触し、取付面７とグローブ４上部との間の空間８を照明器具１の周囲の空間から遮蔽する。
【００２３】
その結果、取付面７とグローブ４上部との間の空間８へ光を好む虫類が進入するのを阻止し、それらの死骸がグローブ４上部へ付着するのを防ぐ。さらに、グローブ４上部へのホコリの付着も防止することができるため、掃除の手間を減らすことができる。また、既存の照明器具本体２にグローブ４のみを付け替えることもできる。そのためグローブ４のみを交換するだけで防虫作用を得ることができ、新たに照明器具を購入するよりも経済的である。
【００２４】
（実施の形態２）
本発明の実施の形態２は、部材５のグローブ本体６に対する位置を変えることができる場合である。
【００２５】
例えばグローブ本体６と部材５の嵌合方法がねじ込み式である場合がある。図３および４は、この場合における実施の形態２に係る照明器具１の構成例を示す断面図である。図３および４に示すように、照明器具１の基本的構成、グローブ本体６および部材５の材質は実施の形態１と同様である。
【００２６】
グローブ本体６の形状は、円形である。また、部材５の形状は、そのグローブ本体６の形状に対応する円筒状の形状である。部材５の円筒の高さはグローブ４が照明器具本体２に取り付けられた際に部材５の上端部が取付面７に丁度接触する長さである。
【００２７】
さらに、グローブ本体６の外周面には、おねじ９ａが設けられている。また、円筒形の部材５の内表面にはそれに嵌合するめねじ９ｂが設けられている。そのため部材５をグローブ本体６の外周にねじ込むことによって、グローブ本体６に対する部材５の位置を変えることができる。
【００２８】
図３は部材５がグローブ本体６に対して下方に位置している状態を示す。照明器具本体２にグローブ４を取り付ける際に、取り付け部分が確認できるため取り付けやすい。
【００２９】
図４は、部材５がグローブ本体６に対して上方に位置している状態を示す。部材５の上端部が取付面７に接触し、取付面７とグローブ４上部との間の空間８を照明器具１の周囲の空間から遮蔽する。
【００３０】
その結果、取付面７とグローブ４上部との間の空間８へ光を好む虫類が進入するのを阻止し、それらの死骸がグローブ４上部へ付着するのを防ぐ。さらに、グローブ４上部へのホコリの付着も防止することができるため、掃除の手間を減らすことができる。また、既存の照明器具本体２にグローブ４のみを付け替えることもできる。そのためグローブ４のみを交換するだけで防虫作用を得ることができ、新たに照明器具を購入するよりも経済的である。
【００３１】
嵌合方法がねじ込み式の場合、照明器具本体２にグローブ４を取り付けた後に、部材５のグローブ本体６に対する位置を容易に変えることができる。さらに、部材５の位置の微調整が可能であるため、グローブ４の取り付け位置から取付面７までの距離について柔軟に対応することができる。
【００３２】
（実施の形態２の変形例）
グローブ本体６に対して部材５の位置を変えることができる両者の嵌合方法は他にもある。例えば、グローブ本体６と部材５が相互に嵌合する凹凸部を備え、嵌合する方法がある。図５および６はこの実施の形態２の変形例に係る照明器具１の構成例を示す断面図である。照明器具１の基本的構成、グローブ本体６および部材５の材質は実施の形態１と同様である。
【００３３】
グローブ本体６の形状は、円形、正方形、長方形、多角形、楕円形、その他いずれの形状であっても適用できる。また、部材５の形状は、そのグローブ本体６の形状に対応する筒状の形状である。部材５の内周は、グローブ本体６の最大外周上に嵌合することができる形となっている。
【００３４】
グローブ本体６の外周には等間隔に数カ所凸部１０ａが設けられており、部材５の内周の上方および下方にはそれに嵌合する上方凹部１０ｂおよび下方凹部１０ｃが等間隔にそれぞれ同数カ所設けられている。また、グローブ本体６および部材５の材質をアクリルなどの弾力性のあるものとする。そのため、グローブ４を照明器具本体２に取り付けた後、部材５を取付面７に向かって押し上げることによって、グローブ本体６に対する部材５の位置を変えることができる。
【００３５】
部材５の下方凹部１０ｃから部材５の上端までの長さは、グローブ４が照明器具本体２に取り付けられた際の、グローブ本体６の外周の凸部１０ａから取付面７までの長さと同じになるよう形成されている。そのため、部材５の下方凹部１０ｃとグローブ本体６の外周の凸部１０ａが嵌合している場合、部材５の上端が丁度取付面７に接触する。なお、嵌合する凹凸部は何カ所でもよく、円形なら３カ所、四角形なら４カ所が望ましい。
【００３６】
図５は、グローブ本体６に対して部材５が下方に位置している状態を示す。グローブ本体６の外周の凸部１０ａに部材５の内周の上方凹部１０ｂが嵌合している。この状態においてグローブ４を照明器具本体２に取り付けると、取り付け部分が確認できるため取り付けやすい。
【００３７】
図６は、部材５がグローブ本体６に対して上方に位置している状態を示す。グローブ本体６の外周の凸部１０ａに部材５の内周の下方凹部１０ｃが嵌合している。部材５の上端部が取付面７に接触し、取付面７とグローブ４上部との間の空間８を照明器具１の周囲の空間から遮蔽する。
【００３８】
その結果、取付面７とグローブ４上部との間の空間８へ光を好む虫類が進入するのを阻止し、それらの死骸がグローブ４上部へ付着するのを防ぐ。さらに、グローブ４上部へのホコリの付着も防止することができるため、掃除の手間を減らすことができる。また、既存の照明器具本体２にグローブ４のみを付け替えることもできる。そのためグローブ４のみを交換するだけで防虫作用を得ることができ、新たに照明器具を購入するよりも経済的である。
【００３９】
実施の形態２ではねじ込み式による嵌合方法および凹凸部による嵌合方法について説明したが、グローブ本体６に対する部材５の位置を変えることができる両者の嵌合方法であれば実施の形態２と同様の効果を得ることができる。その他、グローブ本体６に対する部材５の位置を、二段階以上に段階的に変えうるように構成することも可能である。
【００４０】
（実施の形態３）
本発明の実施の形態３は、既存のグローブ本体６の周縁部に部材５を係合させる場合である。図７および８は実施の形態３に係る照明器具１の構成例を示す断面図である。照明器具１の基本的構成、グローブ本体６および部材５の材質は実施の形態１と同様である。
【００４１】
グローブ本体６は、既存の照明器具のグローブである。グローブ本体６の形状は円形、正方形、長方形、多角形、楕円形、その他いずれの形状であっても適用できる。また、部材５の形状は、そのグローブ本体６の形状に対応する筒状の形状である。部材５の内周は、グローブ本体６の最大外周上に嵌合することができる形となっている。
【００４２】
部材５の内周の上端および下方にはグローブ本体６の周縁部に係合することができる上端係合爪１１ａおよび下方係合爪１１ｂが数カ所等間隔に設けられている。また、グローブ本体６および両係合爪を含む部材５の材質をアクリルなどの弾力性のあるものとする。そのため、グローブ４を照明器具本体２に取り付けた後、部材５を取付面７に向かって押し上げることによって、グローブ本体６に対する部材５の位置を変えることができる。
【００４３】
部材５の下方係合爪１１ｂから部材５の上端までの長さは、グローブ４が照明器具本体２に取り付けられた際の、グローブ本体６の周縁部上端から取付面７までの長さと同じになるよう形成されている。そのため、部材５の下方係合爪１１ｂがグローブ本体６の周縁部に係合している場合、部材５の上端が丁度取付面７に接触する。なお、両係合爪は何カ所でもよいが、円形なら３カ所長方形なら４カ所が望ましい。
【００４４】
図７は、グローブ本体６に対して部材５が下方に位置している状態を示す。グローブ本体６の周縁部に部材５の内周の上端係合爪１１ａが係合している。この状態においてグローブ４を照明器具本体２に取り付けると、取り付け部分が確認できるため取り付けやすい。
【００４５】
図８は、部材５がグローブ本体６に対して上方に位置している状態を示す。グローブ本体６の周縁部に部材５の内周の下方係合爪１１ｂが係合している。部材５の上端部が取付面７に接触し、取付面７とグローブ４上部との間の空間８を照明器具１の周囲の空間から遮蔽する。
【００４６】
その結果、取付面７とグローブ４上部との間の空間８へ光を好む虫類が進入するのを阻止し、それらの死骸がグローブ４上部へ付着するのを防ぐ。さらに、グローブ４上部へのホコリの付着も防止することができるため、掃除の手間を減らすことができる。実施の形態３では既存の照明器具本体２およびグローブ本体６に部材５をそのまま取り付けることができる。そのため部材５のみを取り付けるだけで防虫作用を得ることができ、新たに照明器具を購入するよりも特に経済的である。
【００４７】
より簡易な構造で効果を得たい場合は係合爪を下方のみにすることもできる。また、係合しやすいよう部材５の下部にスリットを入れてもよい。
【００４８】
実施の形態３では係合爪による係合方法について説明したが、部材５が既存のグローブであるグローブ本体６の外周に係合できる手段であれば実施の形態３と同様の効果を得ることができる。
【００４９】
実施の形態では天井面に取り付ける場合を想定して説明した。取付面７は通常の天井面に限らず、壁、柱、傾斜のある天井面などでも、本発明の照明器具１を適用することができる。
【００５０】
さらに、実施の形態においては部材５の材質は、グローブ本体６と同様の材質である場合について説明したが、その他樹脂または金属などでも適用することができる。部材５の色については透明のもの、乳白色などで光透過性のものまたは不透明のものなどでも適用することができる。
【００５１】
また、部材５の取付面７側の先端にスポンジ、ゴムまたはシリコンなどの弾力性のあるものを取り付けることによって、凹凸のある取付面７でも隙間なく接触することができる。同時に接触によって取付面７が損傷するのを防ぐことができる。さらに、部材５の先端に伸縮可能な弾性材を設けたり、部材５の先端を伸縮可能な構造とすることによって、グローブ４の取り付け位置から取付面７までの距離について柔軟に対応することができる。
【００５２】
本発明の実施の形態について説明したが、本発明は上述した実施形態に限定されることはなく、本発明の範囲内で種々の実施形態が可能である。
【００５３】
その他、本発明の好適な変形として、以下の構成が含まれる。
【００５４】
本発明の第１の観点に係る照明器具用グローブについて、好ましくは、前記部材は、前記グローブを前記照明器具本体に取り付けた状態で、前記グローブに対して、前記取付面に交わる方向に移動可能に支持されることを特徴とする。
【００５５】
好ましくは、前記部材は、前記グローブの本体とねじ込み式によって嵌合することを特徴とする。
【００５６】
さらに好ましくは、前記グローブは天井直付け型の照明器具本体に取り付けられることを特徴とする。
【００５７】
本発明の第３の観点に係る照明器具については、好ましくは、前記部材は、前記グローブを前記照明器具本体に取り付けた状態で、前記グローブに対して、前記取付面に交わる方向に移動可能に支持されることを特徴とする
【００５８】
好ましくは、前記部材は、前記グローブの本体とねじ込み式によって嵌合することを特徴とする。
【００５９】
さらに好ましくは、前記照明器具は天井面に取り付けられることを特徴とする。
【符号の説明】
【００６０】
１    照明器具
２    照明器具本体
３    ランプ
４    グローブ
５    部材
６    グローブ本体
７    取付面
８    空間
９ａ  おねじ
９ｂ  めねじ
１０ａ  凸部
１０ｂ  上方凹部
１０ｃ  下方凹部
１１ａ  上端係合爪
１１ｂ  下方係合爪
【図１】
2010182565.tif 000003
【図２】
2010182565.tif 000004
【図３】
2010182565.tif 000005
【図４】
2010182565.tif 000006
【図５】
2010182565.tif 000007
【図６】
2010182565.tif 000008
【図７】
2010182565.tif 000009
【図８】
2010182565.tif 000010